(57)【要約】      （修正有）【課題】地球温暖化の一つの要因であるＶＯＣ及びＣＯ２対策など環境対策を考慮した取り扱いの易しく、安全性の高い無機系の水性洗浄剤を提供する。【解決手段】本発明は、純水の原水にケイ酸二ナトリウム九水和物（Ｈ２ＳｉＯ２）７を５０ミリモル％前後添加し、必要により攪拌しながら電解質溶液を作り、この電解質溶液中に窒素ガス８を送り続けると同時に超音波発振器４により気泡を圧壊させる工程を行ない、また、その後工程で液体製品中に含まれる無機質のケイ酸二ナトリウム九水和物（Ｈ２ＳｉＯ２）の粒子に高い圧力を加えて微砕化、均質化する機械であるホモジナイザー１２を用いて超微細気泡（５ミクロン）を含む溶解液を製造する工程を特徴とする水性洗浄剤の製造する方法。【選択図】図１
2010001451.tif 000002
【特許請求の範囲】
【請求項１】
純水にケイ酸二ナトリウム九水和物（Ｈ２ＳｉＯ２）を添加して電解質溶液とし、該電解質溶液中に窒素ガスを送り続けると同時に超音波により気泡を圧壊し微細気泡を含む溶液を製造する工程を少なくとも含むことを特徴とする水性洗浄剤の製造方法。
【請求項２】
ケイ酸二ナトリウム九水和物の添加量が、１０〜９０ミリモル％である請求項１記載の水性洗浄剤の製造方法。
【請求項３】
窒素ガスを送り続けると同時に超音波により気泡を圧壊させる工程を３０分以上行い、その後工程で液体製品中に含まれる無機質のケイ酸二ナトリウム九水和物（Ｈ２ＳｉＯ２）の粒子に高い圧力を加えて微砕化、均質化する機械であるホモジナイザーを用いて超微細気泡（５ミクロン）を含む溶液を製造する事により、請求項１〜２の何れか一つに記載の水性洗浄剤の製造方法。
【請求項４】
請求項１〜３の何れか一つに記載の洗浄剤の製造方法により得られる事を特徴とする水性洗浄剤。
【発明の詳細な説明】
【技術の分野】
【０００１】本発明は、自動車、家電、電子産業などの加工品の脱脂洗浄を使用目的した界面活性剤などの有機物を全く含有しないＶＯＣ及びＣＯ２対策など環境対策を考慮した無機系の水性洗浄剤の製造方法に関する。
【背景の技術】
【０００２】従来は、無機系洗浄剤として、メタケイ酸ナトリウム、炭酸カリウム、ホウ酸ナトリウム、硫酸ナトリウムを主成分とする洗浄剤の組成物が知られている。この洗浄剤の組成物の製造方法は、５０〜８０℃の温度にした水に、メタケイ酸ナトリウム、炭酸カリウム、ホウ酸ナトリウム、硫酸ナトリウムなどを順次適量加えて攪拌し、溶解して洗浄剤原液を製造することが効果的であると一般的に知られている。
【０００３】一方では、原水に塩類及びメタケイ酸ナトリウムを添加して電解質溶液とし、該電解質溶液中に空気による気泡（マイクロバブル）を発生させると同時に溶解度を維持する点から１５〜２０℃の温度を調整する装置を用いて超音波で気泡を圧壊させる工程を２時間以上かけて超微細気泡を含む溶液を製造する方法と洗浄剤がある。
【０００４】しかしながら、上記の無機系洗浄剤の組成物にあっては、それなにの洗浄効果が見られているが、製品化された溶液中の添加剤メタケイ酸ナトリウムの粒子（４０〜５０ミクロン）が大きすぎるために製品の長期的な安定した品質及び脱脂洗浄後に発生するシミの問題や優れた防錆力を得るために更に改良する必要性を要望されているのが現状である。
【特許文献１】特許４０６４９７７（９頁）
【発明が解決しようとする課題】
【０００５】本発明は、上記問題点を解決するもので、環境負荷が少なく、製品の長期的な安定した品質及び脱脂洗浄後に発生するシミの問題や優れた防錆力を得るために水性洗浄剤を製造する方法を見出し、問題点を解決することを目的とする。
【課題を解決するための手段】
【０００６】上記課題を解決するための発明は、純水を原水とし、この原水にケイ酸二ナトリウム九水和物（Ｈ２ＳｉＯ２）を添加して電解質溶液とし、該電解質溶液中に窒素ガスを送り続けると同時に超音波により気泡を圧壊させる工程を３０分以上行い、その後工程で液体製品中に含まれる無機質のケイ酸二ナトリウム九水和物（Ｈ２ＳｉＯ２）の粒子に高い圧力を加えて微砕化、均質化する機械であるホモジナイザーを用いて超微細気泡（５ミクロン）を含む溶液を製造することにより、上記目的の製造する方法と製品の長期的な安定した品質及び脱脂洗浄後に発生するシミの問題解決や優れた防錆力を得る事を特徴とする水性洗浄剤である。
【０００７】請求項１は、純水にケイ酸二ナトリウム九水和物（Ｈ２ＳｉＯ２）を添加して電解質溶液とし、該電解質溶液中に窒素ガスを送り続けると同時に超音波により気泡を圧壊し微細気泡を含む溶液を製造する工程を少なくとも含むことを特徴とする水性洗浄剤の製造方法。
【０００８】請求項１の発明のごとく、請求項２は、ケイ酸二ナトリウム九水和物の添加量が、１０〜９０ミリモル％である請求項１記載の水性洗浄剤の製造方法。
【０００９】請求項３では、窒素ガスを送り続けると同時に超音波により気泡を圧壊させる工程を３０分以上行い、その後工程で液体製品中に含まれる無機質のケイ酸二ナトリウム九水和物（Ｈ２ＳｉＯ２）の粒子に高い圧力を加えて微砕化、均質化する機械であるホモジナイザーを用いて超微細気泡（５ミクロン）を含む溶液を製造することにより、請求項１〜２の何れか一つに記載の水性洗浄剤の製造方法。
【００１０】次に、請求項４では、請求項１〜３の何れか一つに記載の水性洗浄剤の製造方法により得られることを特徴とする水性洗浄剤。
【発明の効果】
【００１１】本発明によれば、純水にケイ酸二ナトリウム九水和物（Ｈ２ＳｉＯ２）を添加して電解質溶液とし、該電解質溶液中に窒素ガスを送り続けると同時に超音波により気泡を圧壊させる工程を３０分以上行い、その後工程で液体製品中に含まれる無機質のケイ酸二ナトリウム九水和物（Ｈ２ＳｉＯ２）の粒子に高い圧力を加えて微砕化、均質化する機械であるホモジナイザーを用いて超微細気泡（５ミクロン）を含む溶液を製造することにより、ケイ酸二ナトリウム九水和物（Ｈ２ＳｉＯ２）を主剤とした無機系の水性洗浄剤の長期的な安定した品質及び脱脂洗浄後に発生するシミの問題解決や優れた防錆力を得た水性洗浄剤の製造する方法が提供される。
【発明の実施するための最良の形態】
【００１２】本発明は図１に示すように、純水にケイ酸二ナトリウム九水和物（Ｈ２ＳｉＯ２）を添加して電解質溶液とし、該電解質溶液中に窒素ガスを送り続けると同時に超音波により気泡を圧壊させる工程を３０分以上行い、その後工程で液体製品中に含まれる無機質のケイ酸二ナトリウム九水和物（Ｈ２ＳｉＯ２）の粒子に高い圧力を加えて微砕化、均質化する機械であるホモジナイザーを用いて超微細気泡（５ミクロン）を含む溶液を製造する工程を少なくとも含むことを特徴とするものである。
【００１３】本発明に用いる原水としては、例えば、逆浸透膜浄水装置ＮＫ−ＭＬ１（日建社製）などを用いることにより得られる純水である。
【００１４】本発明に用いるケイ酸二ナトリウム九水和物（Ｈ２ＳｉＯ２）は、原水を電解溶液とすると共に、洗浄力及び防錆力の成分として機能するものであり、メタケイ酸ナトリウムに属する中でも九水和物が電解溶液を製造するにあたり原水に一番溶解し易い性状を持っている。このケイ酸二ナトリウム九水和物（Ｈ２ＳｉＯ２）の添加量は、好ましくは、全量に対して１０〜９０ミリモル％であるが、一般的には、アルカリ度の安全性面を考慮すると５０ミリモル％前後とすることが好ましい。
【００１５】本発明の製造する方法では、純水の原水にケイ酸二ナトリウム九水和物（Ｈ２ＳｉＯ２）を上述の如く好ましい範囲で添加し、必要により攪拌しながら電解質溶液を作り、この電解質溶液中に窒素ガスを送り続けると同時に超音波発振器により気泡を圧壊させる工程を３０分以上行い、その後工程で液体製品中に含まれる無機質のケイ酸二ナトリウム九水和物（Ｈ２ＳｉＯ２）の粒子に高い圧力を加えて微砕化、均質化する機械であるホモジナイザーを用いて超微細気泡（５ミクロン）を含む溶解液を製造する。
【００１６】また、超音波発振器としては、例えば、超音波を照射する超音波振動子及び副射板型振動子を備えたＵＳ−１２Ｂ（ＵＳメック社製）で高耐圧Ｓ−Ｔトランジスタを使用することにより、高効率で軽量、小型となっており、又、振動子の共振周波調整・出力電力調整機能を有し使い易く、この照射される超音波の周波数は、３０ＫＨｚ前後であることが好ましい。
【００１７】本発明の製造する方法では、本発明の効果を更に発揮させる点から、気泡発生器として空気による気泡（マイクロバブル）発生方法を用いると電解質溶液中に多量の空気中の酸素（Ｏ２）が吹き込まれるために電解質溶液が酸化劣化され易く製品の長期的な品質安定面において不安定な要因となり、その要因をクリアするために窒素ガスを送り続けると同時に超音波により気泡を圧壊させる工程を３０分以上行い、その後工程で液体製品中に含まれる無機質のケイ酸二ナトリウム九水和物（Ｈ２ＳｉＯ２）の粒子に高い圧力を加えて微砕化、均質化する機械であるホモジナイザーを用いて超微細気泡（５ミクロン）を含む溶解液を製造することにより、ケイ酸二ナトリウム九水和物（Ｈ２ＳｉＯ２）を主剤とした無機系の水性洗浄剤の長期的な安定した品質及び脱脂洗浄後に発生するシミの問題解決や優れた防錆力を得た水性洗浄剤の製造できる。
【００１８】また、本発明の効果を高めるために上述の窒素ガスを送り続けると同時に超音波により気泡を圧壊させる工程を３０分前後行うことが好ましく、また、その後工程で液体製品中に含まれる無機質のケイ酸二ナトリウム九水和物（Ｈ２ＳｉＯ２）の粒子に高い圧力を加えて微砕化、均質化する機械であるホモジナイザーを用いて超微細気泡（５ミクロン）を含む溶解液を製造工程は１時間前後することが好ましく、これらの工程の際の原水（電解質溶液）の温度は、一年を通して常温でよい。
【００１９】このようにして、造られたケイ酸二ナトリウム九水和物（Ｈ２ＳｉＯ２）含有の溶解液は、アルカリ度（ｐＨ）が１２．８〜１３．２であることを確認した。この基準値は、強アルカリ性の水性洗浄剤として示すものである。
【００２０】造られた溶解液は、濾過フィルターを通して製品貯槽へ移送され、製品貯槽から所定量の無機系の水性洗浄剤として小分けされて製品とされる。
【００２１】実施形態１
本発明の実施の一例について添付した図面に基づき説明する。図１に示すように、本発明の製造する方法は、原水（水道水）１の調整バルブ２を介して逆浸透膜浄水装置３に供給されて不溶解性の不純物及び残留塩素を除去して溶解槽１５にバッチ形式で注入される。溶解槽１５内の原水には、ケイ酸二ナトリウム九水和物（Ｈ２ＳｉＯ２）を５０ミリモル％添加し必要に応じて攪拌し窒素ガス８を送り続けると同時に超音波発振器４で周波数３０ＫＨｚを副射板振動子５に伝導して気泡を圧壊させる工程を３０分前後行う。また、移送ポンプ１０にて、その後工程で液体製品中に含まれる無機質のケイ酸二ナトリウム九水和物（Ｈ２ＳｉＯ２）の粒子に高い圧力を加えて微砕化、均質化する機械であるホモジナイザー１２に送り超微細気泡（５ミクロン）を含む溶解液を製造工程は、１時間前後する。これらの工程の際の原水（電解質溶液）の温度は、一年を通して常温でよい。このようにして、造られて水性洗浄剤は、アルカリ度（ｐＨ）の測定を行い、所定の基準値のチェツクをして無機系の水性洗浄剤として小分けされて製品とされる。
【産業上の利用可能性】
【００２２】本発明方法によって製造された無機系の水性洗浄剤は、１〜３０％に希釈して自動車、家電、電子産業などの加工品の脱脂洗浄を使用目的した界面活性剤などの有機物を全く含有していない。また、この水性洗浄剤は、優れた洗浄力を持ち、発泡性がなく、防錆力も強く、油水分離性も良く、使用後の廃液処理が簡易的あり、長期的な安定した品質及び脱脂洗浄後に発生するシミの問題解決などをクリアーした無機系の水性洗浄剤である。そして、地球温暖化の一つの要因であるＶＯＣ及びＣＯ２対策など環境対策を考慮した取り扱いの易しく、安全性の高い無機系の水性洗浄剤を提供できる。
【図面の簡単な説明】
【００２３】
【図１】本発明の水性洗浄剤の製造工程の概略図。
【図２】ホモジナイザーによる溶解性能試験表
【符号の説明】
【００２４】  １．原水
２．調整バルブ
３．逆浸透膜浄水装置
４．超音波発振器
５．副射板振動子
６．溶解槽
７．ケイ酸二ナトリウム九水和物（Ｈ２ＳｉＯ２）
８．窒素ガス
９．移送バルブ
１０．移送ポンプ
１１．ろ過フィルター
１２．ホモジナイザー
１３．ろ過フィルター
１４．供給バルブ
１５．製品（洗浄剤）
2010001451.tif 000003
【図１】
2010001451.tif 000004
【図２】
2010001451.tif 000005